(57)【要約】【課題】電動にて各構成部の位置を変える車両用シートの入力操作を行うためのシート操作スイッチにおいて、着座者が入力操作を行うにあたって視認可能に構成して入力操作の行い易いものとしながら、居住性の観点からも優れたものとする。【解決手段】シート操作スイッチ１０は、入力操作の入力に応じて入力信号を生成するスイッチ本体１１が車両用シート１の側部に設けられた収納部２０にて収納可能に且つ収納された際に車両用シート１の側方に操作面１３が位置するように構成され、このスイッチ本体１１を収納部２０から取り外した場合であっても、車両用シート１の各構成部の位置を変える入力操作が行えるように、このスイッチ本体１１には収納部２０に対して前方向から延びるコード１８が接続されている。【選択図】図１
2009269529.tif 000002
【特許請求の範囲】
【請求項１】
電動にて各構成部の位置を変える車両用シートの、入力操作を行うためのシート操作スイッチであって、
前記車両用シートの側部に設けられた収納部にて収納可能に且つ収納された際に前記車両用シートの側方に操作面が位置するように構成され、前記収納部から取り外した場合であっても、前記車両用シートの各構成部の位置を変える前記入力操作が行えるように構成されていることを特徴とするシート操作スイッチ。
【請求項２】
請求項１に記載のシート操作スイッチにおいて、
前記入力操作の入力に応じて入力信号を生成するスイッチ本体と、前記スイッチ本体にて生成された入力信号を送信する配線部とを有し、
前記配線部は、前記収納部に対して前方向から延びるように配され、且つ前記収納部に収納された際の前記スイッチ本体の前方向側面に接続されていることを特徴とするシート操作スイッチ。
【請求項３】
請求項１または請求項２に記載のシート操作スイッチにおいて、
着座者が前記収納部から取り外して入力操作を行う際に、入力操作を行う操作指以外で把持される把持用凹部が設けられ、
前記把持用凹部は、前記収納部に収納した際に、前記収納部に設けられた嵌合用雄部と嵌合して前記収納部における収納を保持する嵌合用雌部としても機能することを特徴とするシート操作スイッチ。
【請求項４】
請求項１から請求項３の何れかに記載のシート操作スイッチにおいて、
前記収納部は、着座されるシートクッションの側部に設けられ、且つ上方に取外し用の開口形状を有し、
前記収納部に収納した状態から上方向にスライド移動させると、前記収納部から取り外されることとなり、
前記取外し用の開口形状から前記収納部に向けて下方向にスライド移動させると、前記収納部に収納されることとなることを特徴とするシート操作スイッチ。
【発明の詳細な説明】
【技術分野】
【０００１】
本発明は、電動にて各構成部の位置を変える車両用シートの、入力操作を行うためのシート操作スイッチに関する。
【背景技術】
【０００２】
車両に設置される車両用シートは、シートバック、シートクッション、ヘッドレスト、アームレスト等を備えて構成される。この車両用シートには、一般にパワーシートと称される、上記各構成部の位置を電動にて変えるものがある。
このような電動にて各構成部の位置を変える車両用シートは、着座者がその入力操作するためのシート操作スイッチを備える。このシート操作スイッチは、外部に露出する面に、着座者が操作入力を行う操作部が設けられている。
【０００３】
ところで、着座者が、このようなシート操作スイッチにて入力操作を行う場合にあっては、このシート操作スイッチを目で見ながら操作したいという要請がある。そこで、この種のシート操作スイッチにあっては、上面に操作部が設けられるとともに設置個所から取外し可能に構成されたものが知られている（例えば、特許文献１参照）。このシート操作スイッチによれば、固定設置されている場合でも、設置個所から取り外した場合でも、着座者は視認しながら入力操作を行うことができる。
【特許文献１】特開２００３−１２６２００
【発明の開示】
【発明が解決しようとする課題】
【０００４】
しかしながら、上記した上面に操作部が設けられた例にあっては、操作部が上面に設けられるものであるので、入力操作するにあたっては視認しやすいものの、設置するにあたっては、車両内の幅方向のスペースを多く必要とするため、居住性の観点から優れないという問題点があった。
【０００５】
本発明は、このような事情に鑑みなされたものであって、本発明が解決しようとする課題は、電動にて各構成部の位置を変える車両用シートの入力操作を行うためのシート操作スイッチにおいて、着座者が入力操作を行うにあたって視認可能に構成して入力操作の行い易いものとしながら、居住性の観点からも優れたものとすることにある。
【課題を解決するための手段】
【０００６】
上記課題を解決するため本発明に係るシート操作スイッチは、次の手段を採用する。
すなわち、請求項１に係るシート操作スイッチは、電動にて各構成部の位置を変える車両用シートの、入力操作を行うためのシート操作スイッチであって、前記車両用シートの側部に設けられた収納部にて収納可能に且つ収納された際に前記車両用シートの側方に操作面が位置するように構成され、前記収納部から取り外した場合であっても、前記車両用シートの各構成部の位置を変える前記入力操作が行えるように構成されていることを特徴とする。
【０００７】
このシート操作スイッチによれば、車両用シートの側部に設けられた収納部にて収納可能に且つ収納された際に車両用シートの側方に操作面が位置するように構成されているので、固定設置にあっては車両用シートのスペースを利用することができるうえ、着座者が着座した場合にも入力操作を行い易いものにできる。加えて、このシート操作スイッチによれば、収納部から取り外した場合であっても、車両用シートの各構成部の位置を変える入力操作が行えるように構成されているので、着座者が入力操作を行う場合には、収納部から取り外して操作面を視認しながら入力操作を行うことができる。
【０００８】
請求項２に係るシート操作スイッチは、請求項１に記載のシート操作スイッチにおいて、前記入力操作の入力に応じて入力信号を生成するスイッチ本体と、前記スイッチ本体にて生成された入力信号を送信する配線部とを有し、前記配線部は、前記収納部に対して前方向から延びるように配され、且つ前記収納部に収納された際の前記スイッチ本体の前方向側面に接続されていることを特徴とする。
なお、前方向とは、車両用シートに着座した際の前方向であることを意味しており、車両の前進方向とも一致するものである。
【０００９】
このシート操作スイッチによれば、入力操作の入力に応じて入力信号を生成するスイッチ本体と、スイッチ本体にて生成された入力信号を送信する配線部とを有し、配線部は、収納部に対して前方向から延びるように配され、且つ収納部に収納された際のスイッチ本体の前方向側面に接続されているので、着座者がシート操作スイッチを収納部から取り外して手元に持ってくるにあたり、手元に持ってきたスイッチ本体に接続された配線部は収納部が位置した方向に向くこととなる。これによって、スイッチ本体を回転させることなく、そのまま手元に持ってくることができる。
【００１０】
請求項３に係るシート操作スイッチは、請求項１または請求項２に記載のシート操作スイッチにおいて、着座者が前記収納部から取り外して入力操作を行う際に、入力操作を行う操作指以外で把持される把持用凹部が設けられ、前記把持用凹部は、前記収納部に収納した際に、前記収納部に設けられた嵌合用雄部と嵌合して前記収納部における収納を保持する嵌合用雌部としても機能することを特徴とする。
【００１１】
このシート操作スイッチによれば、着座者が収納部から取り外して入力操作を行う際に、入力操作を行う操作指以外で把持される把持用凹部が設けられているので、着座者が収納部から取り外して手元で入力操作する場合に、把持用凹部を把持しながら入力操作を行うことができる。つまり、把持用凹部にて把持する際に、その凹んだ形状により指が引っ掛かり易く把持し易いものとなる。加えて、このシート操作スイッチによれば、把持用凹部は、収納部に収納した際に、収納部に設けられた嵌合用雄部と嵌合して収納部における収納を保持する嵌合用雌部としても機能するので、自然に外れてしまうことを防止して収納部への収納を保持することができる。
【００１２】
請求項４に係るシート操作スイッチは、請求項１から請求項３の何れかに記載のシート操作スイッチにおいて、前記収納部は、着座されるシートクッションの側部に設けられ、且つ上方に取外し用の開口形状を有し、前記収納部に収納した状態から上方向にスライド移動させると、前記収納部から取り外されることとなり、前記取外し用の開口形状から前記収納部に向けて下方向にスライド移動させると、前記収納部に収納されることとなることを特徴とする。
【００１３】
このシート操作スイッチによれば、収納部は着座されるシートクッションの側部に設けられ且つ上方に取外し用の開口形状を有し、収納部に収納した状態から上方向にスライド移動させると収納部から取り外されることとなり、取外し用の開口形状から収納部に向けて下方向にスライド移動させると収納部に収納されるので、取外し及び収納を上下方向のスライド移動で行うことができる。
【発明の効果】
【００１４】
請求項１に係るシート操作スイッチによれば、着座者が入力操作を行うにあたっては、収納部から取り外して操作面を視認できるので、入力操作の行い易いものにでき、さらに収納時の設置スペースを新たに必要としないので、居住性の観点からも優れたものとなる。
請求項２に係るシート操作スイッチによれば、収納部から取り外して手元に持ってきた場合であっても、また収納されている場合であっても、同じような感覚で入力操作することができ、操作性に優れたものとなる。
請求項３に係るシート操作スイッチによれば、入力操作の行い易いものでありながら、収納性にも優れたものとなる。
請求項４に係るシート操作スイッチによれば、シートクッションの幅方向に取り外すためのスペースを設けることもなくなり、省スペース化を図ることができ、居住性の観点からも優れたものとなる。
【発明を実施するための最良の形態】
【００１５】
［第１の実施の形態］
以下、本発明を実施するための最良の形態について、図面を参照しながら説明する。
図１は、シート操作スイッチ１０を含む車両用シート１の後方斜視図である。図２は、図１のＫ−Ｋ断面矢視図である。
車両用シート１は、一般にパワーシートと称される、電動にて各構成部の位置を変えることができる車両用シートである。この車両用シート１は、シートバック３、シートクッション４、ヘッドレスト（不図示）、アームレスト（不図示）を備えて構成されるものであって、図２に示すように、車両に設置されたレール２上においてスライド移動可能に設置される。
【００１６】
図２においては、車両用シート１のうち、レール２上にスライド移動可能に設置されるフレーム５、フレーム５にて支持されるシートクッション４（パッド４ａ、表皮４ｂ）、シートクッション４の側方に設けられるシールド６、そして、このシールド６に設けられた収納部２０に収納されるシート操作スイッチ１０が図示されている。
このシート操作スイッチ１０は、上記した車両用シート１の各構成部、すなわちシートバック３、シートクッション４、ヘッドレスト（不図示）、アームレスト（不図示）の位置を電動にて変える際に、着座者が入力操作を行うためのものである。
【００１７】
次に、シート操作スイッチ１０と、このシート操作スイッチ１０が収納される収納部２０について詳細に説明する。図３は、図１のシート操作スイッチ１０を車両用シート１の側方から見た側面図である。図４は、図１のシート操作スイッチ１０の斜視図である。
シート操作スイッチ１０は、図３および図４に示すように、入力操作の入力に応じて入力信号を生成するスイッチ本体１１と、このスイッチ本体１１に接続される配線部としてのコード１８とを備える。
【００１８】
スイッチ本体１１は、着座者が入力操作を行うに際しての入力部となるものであり、大略、内部にオンオフの入力操作を検出する電子機器を備えた外装体１２と、オンオフの入力操作を行う操作ノブ１６とを備えて構成される。
外装体１２は、図４に示すように略矩形に形成され、図２および図３に示すように収納部２０に収納された場合に露出される側の一側面が操作ノブ１６の配される操作面１３となり、この操作面１３と交差する上下方向に位置した面が把持面１４となっている。またスイッチ本体１１が収納部２０に収納された場合の外装体１２の前方向側面１５が、後に説明するコード１８が接続される接続面となっている。
【００１９】
操作面１３は、後に説明する操作ノブ１６が設けられる面である。具体的には、操作面１３は、図１および図２に示すように、収納部２０に収納された場合に、車両用シート１に対して側方に向くようになっており、この場合には操作ノブ１６のみが突出状態となるようにシールド６の外面と面一状態となる。
把持面１４は、図３に示すように、操作面１３を側方に向くように位置させた場合の上下面となっており、着座者が収納部２０から取り外して入力操作する場合に指で把持する面となっている。把持面１４には、図２および図３示すように、台形状に刳り貫かれたような把持用凹部１４ａ，１４ｂ，１４ｃ，１４ｄが上下に２つずつ形成されている。
【００２０】
把持用凹部１４ａ〜１４ｄは、図４に示すように、着座者が収納部２０から取り外して入力操作を行う際に、入力操作を行う操作指以外となる中指や親指で把持する個所となっている。この把持用凹部１４ａ〜１４ｄは、図２および図３に示すように、収納部２０に収納した際に、収納部２０に設けられた嵌合部材２１（嵌合用雄部）と嵌合して収納部２０における収納を保持する嵌合用雌部としても機能するものでもある。なお、把持用凹部１４ａ〜１４ｄの取外し収納方向の内面は、傾斜したものとなっている。
【００２１】
操作ノブ１６は、上記した電動にて位置を変えるシートバック３、シートクッション４、ヘッドレスト、アームレストのそれぞれに対応したものが、操作面１３に配されている。具体的には、操作ノブ１６は、シートバック用操作ノブ１６ａ、シートクッション用操作ノブ１６ｂ、ヘッドレスト用操作ノブ１６ｃ、アームレスト用操作ノブ１６ｄにより構成されており、これらの操作ノブ１６ａ〜１６ｄは、図示するように、上記した電動にて位置を変えるシートバック３、シートクッション４、ヘッドレスト、アームレストのそれぞれの形状を模した形状で形成されるとともに、それぞれの位置を模した位置で操作面１３に配置されている。これらの操作ノブ１６ａ〜１６ｄは、各構成部の電動にて位置が変わる方向に応じて操作入力できるように、移動あるいは回転するようになっている。
【００２２】
このスイッチ本体１１には、電動による駆動を制御する図示しない制御装置に送信するためのコード１８が接続されている。コード１８は、入力操作に応じてスイッチ本体１１にて生成された入力信号を制御装置に送信する。
具体的には、コード１８は、図示するように、収納部２０に対して前方向から延びるように配され、スイッチ本体１１が収納部２０に収納された際の前方向側面１５に接続されている。また、収納部２０の前方向の位置には、適宜の弾性部材の弾性力によりコード１８を巻き取る巻取り用リール１９が配されている。この巻取り用リール１９は、収納部２０にスイッチ本体１１が収納された場合に、コード１８を余すことなく巻き取るようになっている。
【００２３】
次に、シールド６に設けられた収納部２０について説明する。
収納部２０は、上記したスイッチ本体１１が収納された場合に、スイッチ本体１１の操作面１３がシールド６の外面と面一となるように、適宜の深さの凹形状を有して形成されている。具体的には、収納部２０は、図２に示すように、略矩形に形成されたスイッチ本体１１の外装体１２を収納可能とするように合わせた凹形状となっており、上記した把持用凹部１４ａ〜１４ｄと嵌合する嵌合用雄部としての嵌合部材２１ａ〜２１ｄを備える。
【００２４】
具体的には、嵌合部材２１ａ〜２１ｄは、図２および図３に示すように、収納部２０の上下の内面にそれぞれ２つずつ設置されている。この嵌合部材２１ａ〜２１ｄのそれぞれは、内方向に付勢する付勢ばね２２ａ〜２２ｄと、その付勢ばね２２ａ〜２２ｄの内方先端に取り付けられ且つ上記した把持用凹部１４ａ〜１４ｄと嵌合する雄部材２３ａ〜２３ｄとを備えて構成される。雄部材２３ａ〜２３ｄは、上記した把持用凹部１４ａ〜１４ｄと嵌合するものであり、先端外面は、車両用シート１の側方にしたがって傾斜した形状を有する。
【００２５】
このように構成されたシート操作スイッチ１０は、次のように作用効果を奏することができる。
すなわち、着座者が収納部２０からシート操作スイッチ１０を取り外す場合には、図２に示すように、隙間Ｓに指を突っ込み、突っ込んだ指で掻き出すようにスイッチ本体１１を側方に引っ張る。そうすると、把持用凹部１４ａ〜１４ｄおよび嵌合部材２１ａ〜２１ｄの互いに設けられた傾斜面にてスムーズに互いを離間させて嵌合を解除させ、シート操作スイッチ１０を収納部２０から取り外すことができる。また逆に、着座者が収納部２０にシート操作スイッチ１０を収納する場合には、操作面１３が露出した状態となるようにシート操作スイッチ１０を収納部２０に押し入れる。そうすると、把持用凹部１４ａ〜１４ｄおよび嵌合部材２１ａ〜２１ｄの互いは、それぞれに設けられた傾斜面にてスムーズに互いを嵌め込めて、シート操作スイッチ１０を収納部２０に収納することができる。
【００２６】
このシート操作スイッチ１０によれば、車両用シート１の側部に設けられた収納部２０にて収納可能に且つ収納された際に車両用シート１の側方に操作面１３が位置するように構成されているので、固定設置にあっては車両用シート１のスペースを利用することができるうえ、着座者が着座した場合にも入力操作を行い易いものにできる。加えて、このシート操作スイッチ１０によれば、収納部２０から取り外した場合であっても、車両用シート１の各構成部の位置を変える入力操作が行えるように構成されているので、着座者が入力操作を行う場合には、収納部２０から取り外して操作面１３を視認しながら入力操作を行うことができる。
これによって、着座者が入力操作を行うにあたっては、収納部２０から取り外して操作面１３を視認できるので、入力操作の行い易いものにでき、さらに収納時の設置スペースを新たに必要としないので、居住性の観点からも優れたものとなる。
【００２７】
また、このシート操作スイッチ１０によれば、入力操作の入力に応じて入力信号を生成するスイッチ本体１１と、スイッチ本体１１にて生成された入力信号を送信するコード１８とを有し、コード１８は、収納部２０に対して前方向から延びるように配され、且つ収納部２０に収納された際のスイッチ本体１１の前方向側面１５に接続されているので、着座者がシート操作スイッチ１０を収納部２０から取り外して手元に持ってくるにあたり、手元に持ってきたスイッチ本体１１に接続されたコード１８は収納部２０が位置した方向に向くこととなる。これによって、スイッチ本体１１を回転させることなく、そのまま手元に持ってくることができる。
これによって、収納部２０から取り外して手元に持ってきた場合であっても、また収納されている場合であっても、同じような感覚の入力操作することができ、操作性に優れたものとなる。
【００２８】
このシート操作スイッチ１０によれば、着座者が収納部２０から取り外して入力操作を行う際に、入力操作を行う操作指となる人差し指以外で把持される把持用凹部１４ａ〜１４ｄが設けられているので、着座者が収納部２０から取り外して手元で入力操作する場合に、把持用凹部１４ａ〜１４ｄを把持しながら入力操作を行うことができる。つまり、把持用凹部１４ａ〜１４ｄにて把持する際に、その凹んだ形状により中指が引っ掛かり易く把持し易いものとなる。加えて、このシート操作スイッチ１０によれば、把持用凹部１４ａ〜１４ｄは、収納部２０に収納した際に、収納部２０に設けられた嵌合部材２１ａ〜２１ｄと嵌合して収納部２０における収納を保持する嵌合用雌部としても機能するので、自然に外れてしまうことを防止して収納部２０への収納を保持することができる。
これによって、入力操作の行い易いものでありながら、収納性にも優れたものとなる。
【００２９】
［第２の実施の形態］
次に、上記した第１の実施の形態とは異なる構成が採用された、第２の実施の形態について、図面を参照しながら説明する。なお、以下において説明する第２の実施の形態におけるシート操作スイッチ３０は、収納部４０への収納および取外しに関して上記した第１の実施の形態とは異なる構成が採用されており、そのほかの構成に関しては上記第１の実施の形態と同様の構成が採用されている。したがって、上記第１の実施の形態と同様に構成される個所については同一の符号を付して説明を省略する。
【００３０】
図５は第２の実施の形態を示す図である。具体的には、図５（Ａ）は、図３と同様なシート操作スイッチを車両用シート１の側方から見た側面図であり、図５（Ｂ）は図５（Ａ）のＬ−Ｌ断面矢視図であり、図５（Ｃ）は図５（Ａ）のＭ−Ｍ断面矢視図である。
第２の実施の形態におけるシート操作スイッチ３０は、収納部４０に収納するにあたって、上記した第１の実施の形態のような、ばね力を利用した嵌合構造を採用するのではなく、取外しを規制するようにシート操作スイッチ３０の操作面１３の上下周縁３１と当接する内向きフランジ状部４１が設けられた例である。
【００３１】
すなわち、第２の実施の形態の収納部４０は、シート操作スイッチ３０が前後方向にスライド移動可能に構成され、シート操作スイッチ３０を収納する収納位置と、シート操作スイッチ３０を取外す取外し位置とを有して構成される。
具体的には、図５（Ｂ）に示すように、収納部４０の前方向に位置する収納位置にあっては、シート操作スイッチ３０を収納した際に、操作面１３の上下周縁３１と当接するように形成された内向きフランジ状部４１が、シールド６に設けられている。
また、図５（Ｃ）に示すように、収納部４０の後方向に位置する取外し位置にあっては、上記したような操作面１３の上下周縁３１と当接する内向きフランジ状部４１は存在せず、シート操作スイッチ３０を側方に取外し可能になっている。
【００３２】
この実施の形態によれば、着座者が収納部４０からシート操作スイッチ３０を取り外す場合には、図５（Ｃ）の取外し位置にまでシート操作スイッチ３０を後方向にスライド移動させて取り外す。また逆に、着座者が収納部４０にシート操作スイッチ３０を収納する場合には、操作面１３が露出ぃた状態となるようにシート操作スイッチ３０を図５（Ｃ）の取外し位置にセットし、図５（Ｂ）の収納位置にまで前方向にスライド移動させる。そうすると、上記した内向きフランジ状部４１がシート操作スイッチ３０の上下周縁３１に当接して、シート操作スイッチ３０の取外しを規制して、収納を保持することができる。
このように構成した場合には、上記第１の実施の形態に比して、部品点数を少なくすることができる点で有利である。
【００３３】
［第３の実施の形態］
次に、上記した第１の実施の形態および第２の実施の形態とは異なる構成が採用された、第３の実施の形態について、図面を参照しながら説明する。なお、以下において説明する第３の実施の形態におけるシート操作スイッチ５０は、収納部６０への収納および取外しに関してと、配線部としてのコード５８の接続に関して、上記した第１および第２の実施の形態とは異なる構成が採用されており、そのほかの構成に関しては上記第１の実施の形態と同様の構成が採用されている。したがって、上記第１の実施の形態と同様に構成される個所については同一の符号を付して説明を省略する。
【００３４】
図６は第３の実施の形態を示す図である。具体的には、図６（Ａ）は、図１と同様なシート操作スイッチ５０を含む車両用シート１の後方斜視図であり、図６（Ｂ）は収納部６０の上面視拡大図である。
第３の実施の形態におけるシート操作スイッチ５０は、収納部６０に収納するにあたって、上記した第１および第２の実施の形態のような構成ではなく、上下方向にスライド移動させて、取外しあるいは収納とする例である。
【００３５】
収納部６０は、図６（Ａ）および図６（Ｂ）に示すように、着座されるシートクッション４の側部に設けられたシールド６に設けられるものであり、上方に取外し用の開口部６１が形成されている。この開口部６１は、収納部６０に収納したシート操作スイッチ５０が上方にスライド移動させた可能な適宜の長さ幅が設定された開口形状となっている。
また、上記したコード５８は、下側内面からスイッチ本体５１に送り出されるようになっており、スイッチ本体５１の下面に接続されている。
また、収納部６０は、前後方向の内周面に、シート操作スイッチ５０のスライド移動を案内するための案内溝６２が設けられている。また、シート操作スイッチ５０には、この案内溝６２に嵌る案内突出部５２が設けられている。
【００３６】
この実施の形態によれば、シート操作スイッチ５０を収納部６０に収納した状態から上方向にスライド移動させると、シート操作スイッチ５０は収納部６０から取り外されることとなる。他方、シート操作スイッチ５０を取外し用の開口部６１から収納部６０に向けて下方向にスライド移動させると、収納部６０に収納される。つまり、シート操作スイッチ５０の取外し及び収納を、上下方向のスライド移動で行うことができる。
これによって、シートクッション４の幅方向に取り外すためのスペースを設けることもなくなり、省スペース化を図ることができ、居住性の観点からも優れたものとなる。
【００３７】
なお、本発明に係るシート操作スイッチにあっては、上記した実施の形態に限定されるものではなく、本発明の要旨を変更しない範囲で適宜に変更することができる。
図７は、第１の実施の形態において取外し装置７０が設けられた例を示す断面図である。この図示される例においては、上記第１の実施の形態において、着座者が収納部２０からシート操作スイッチ１０を取り外す場合には、隙間Ｓ（図２参照）に指を突っ込み、突っ込んだ指で掻き出すようにスイッチ本体１１を側方に引っ張るようにしていたが、この変形例では、取外し装置７０を用いて取り外すようになっている。
【００３８】
取外し装置７０は、図７に示すように、下方に押下した場合にスイッチ本体１１の奥側端縁に当接し押下にしたがって側方に押し出すように構成された押出部材７１と、この押出部材７１を押下前の位置に位置させるために付勢する付勢ばね７５とを備えて構成される。なお、この押出部材７１とスイッチ本体１１の奥側端縁との互いの当接面は、押下にしたがった押出しがスムーズなものとするために、丸みを帯びた傾斜形状を有している。
このような取外し装置７０を設けた場合には、スイッチ本体１１の取外しを容易なものとすることができる。
【００３９】
また、上記実施の形態のシート操作スイッチにおいては、操作ノブを４種類備えて構成されるものであったが、本発明に係るシート操作スイッチは、これに限定されることなく、操作ノブは、電動にて位置を変える各構成部の種類に応じて適宜選択されるものであればよい。
また、上記実施の形態のシート操作スイッチにおいては、車両用シートの右側のシールドに設置された例について説明するものであったが、車両用シートの左側のシールド等に設置されるものであってもよい。
【図面の簡単な説明】
【００４０】
【図１】シート操作スイッチを含む車両用シートの後方斜視図である。
【図２】図１のＫ−Ｋ断面矢視図である。
【図３】図１のシート操作スイッチを車両用シートの側方から見た側面図である。
【図４】図１のシート操作スイッチの斜視図である。
【図５】第２の実施の形態を示す図である。
【図６】第３の実施の形態を示す図である。
【図７】第１の実施の形態において取外し装置が設けられた例を示す断面図である。
【符号の説明】
【００４１】
１  車両用シート
２  レール
３  シートバック
４  シートクッション
５  フレーム
６  シールド
１０  シート操作スイッチ
１１  スイッチ本体
１２  外装体
１３  操作面
１４  把持面
１４ａ，１４ｂ，１４ｃ，１４ｄ  把持用凹部
１５  前方向側面
１６ａ  シートバック用操作ノブ
１６ｂ  シートクッション用操作ノブ
１６ｃ  ヘッドレスト用操作ノブ
１６ｄ  アームレスト用操作ノブ
１８  コード
１９  巻取り用リール
２０  収納部
２１ａ，２１ｂ，２１ｃ，２１ｄ  嵌合部材
２２ａ，２２ｂ，２２ｃ，２２ｄ  付勢ばね
２３ａ，２３ｂ，２３ｃ，２３ｄ  雄部材
Ｓ  隙間
【図１】
2009269529.tif 000003
【図２】
2009269529.tif 000004
【図３】
2009269529.tif 000005
【図４】
2009269529.tif 000006
【図５】
2009269529.tif 000007
【図６】
2009269529.tif 000008
【図７】
2009269529.tif 000009